(57)【特許請求の範囲】
【請求項１】
天井に設けた天井レールに吊設されて移動する移動壁において、該移動壁は上端に吊車を取着した框パネルと該框パネルに上主軸を介して回動可能に連結されている回転パネルからなり、回転パネルの下端には上主軸と同軸を成した下主軸を昇降動可能に取付けし、また回転パネルの下端には圧接部材を備え、該圧接部材を床面に圧接することで回転パネルを適度な角度に回転した位置に固定可能とし、さらに回転パネルの上端には框パネルに形成した嵌合穴に嵌る固定軸を昇降動可能に設けたものであり、回転パネルにはジャッキを有して上方ヘは上連結棒を下方には下連結棒を延ばし、そして上連結棒側には上記固定軸を有し、下連結棒側には下主軸を備え、上記ジャッキを操作することで下主軸と固定軸を同じ方向に昇降動することを特徴とする回転式移動壁。
【発明の詳細な説明】
【０００１】
【発明の属する技術分野】
本発明は天井に設けたレールに吊設されて移動する移動壁であって、回転機能を備えた移動壁に関するものである。
【０００２】
【従来の技術】
移動壁は天井に設けている天井レールに吊設されて所定の場所へ移動することが出来、複数枚の移動壁を配列することで大きな空間が仕切られる。移動壁の上端には吊車が取着されて天井レールに沿って移動することが出来、そして所定の位置で動かないように固定する為の圧接装置が備わっている。このような移動壁は色々あって、大きなものでは重さ数トンにも達する。
【０００３】
ところで、このような移動壁にて仕切られた空間に出入りする為に、該移動壁の一部にドアを備えている場合がある。ドアは間口側端に設けている蝶番やヒンジなどを介して開閉することが出来るが、従来形式のドアでは多数の人が一時に出入りするには適さない。例えば、移動壁で仕切られた大きなホールでイベントを行う場合に、該移動壁に備えられているドアでは人の出入りに時間がかかって不便な場合が多い。勿論、移動壁であるから人の出入りの際には各移動壁を他の場所に移動して大きな出入り口空間を作ることも出来るが、それでは余りにも不便である。
【０００４】
【発明が解決しようとする課題】
このように、従来の移動壁に備わっているドアでは多くの人が出入りするには時間がかかり非常に不便である。本発明が解決しようとする課題はこの問題点であり、空間を仕切ると同時に、移動壁自体を回転して出入り口とすることが出来る回転式移動壁を提供する。
【０００５】
【課題を解決する為の手段】
本発明の回転式移動壁は上端に吊車を備え、天井レールに吊設されて移動することが出来る。この点は従来の移動壁と同じであるが、本発明の移動壁は中心に設けている主軸を介して回転することが出来る。そして、移動壁は回転パネルと框パネルからなり、框パネルの上端に吊車が取着され、回転パネルは框パネルの下方に主軸(上主軸)を介して回動可能に連結されている。
【０００６】
そして回転パネルは上記上主軸を介して框パネルに吊設され、同時に上主軸を中心として回転することが出来るようになっているが、回転パネルの回動を防止する為に回転パネルの上端両サイドには固定軸を備えて上方へ突出する構造となっている。框パネル側には嵌合穴が形成されていて、突出した固定軸が嵌合穴に嵌ることで回転パネルは回動することなく框パネルと共に移動できる。
【０００７】
そして回転パネルの下端にも主軸(下主軸)を設けていて、この下主軸は降下して床面に設けている嵌合穴に嵌ることが出来る。ここで下主軸の降下手段および固定軸の突出手段は限定しないことにする。ところで、本発明の回転式移動壁は所定の位置にて固定されなくてはならず、その為に框パネル上端には圧接部材が取り付けられて天井に圧接され、又下主軸が床面の嵌合穴に嵌る。
【０００８】
框パネルの圧接部材が天井に圧接されると共に、下主軸が床面の嵌合穴に嵌ることで移動壁は定位置に定まるが、回転パネルの回動を防止する為に回転パネル下端にも床面に圧接する圧接部材を取付けしている。勿論、上記固定軸が框パネルに嵌っているならば回転パネルの単独回動はないが、回転パネルは回動して適度な角度にて固定され出入り口を作らなくてはならず、その為に框パネルから外れた位置で固定される圧接部材が必要となる。以下、本発明に係る実施例を図面に基づいて詳細に説明する。
【０００９】
【実施例】
図1は本発明の回転式移動壁を示している実施例であり、同図の1は框パネル、2は回転パネルを表わし、框パネル上端には吊車３，３が取着され、天井レール(図示なし)に吊設されて移動出来る。回転パネル2は框パネル1に上主軸４を介して吊設され、しかも上主軸４を中心として回転することも出来る。又、上主軸4と同軸を成して下主軸5が回転パネル中心の下端に設けられ、該下主軸５は降下して床面に設けている嵌合穴に嵌ることが出来る。
【００１０】
そして回転パネル2の上端両サイドには固定軸６，６が設けられ、この固定軸６，６は上方へ突出することが出来、框パネル1の下端に形成している嵌合穴に嵌り得る。また同図には表わしていないが、框パネル1の上端には上圧接部材が、回転パネル下端には下圧接部材がそれぞれ備わっていて、上圧接部材は天井に、下圧接部材は床面に圧接して移動壁が動かないように固定する。
【００１１】
ところで、この回転式移動壁は天井レールに沿って移動するが、この場合には回転パネル2の上端に設けている固定軸６，６を突出して框パネル１の嵌合穴に嵌め、移動に際して回転パネル2が回動しないようにしている。勿論、回転パネル下端の下主軸5は上昇している。そして所定の位置に移動したところで下主軸5を降下して床面に設けている嵌合穴に嵌め、上圧接部材を天井に、下圧接部材は床面に圧接して固定される。
【００１２】
この状態で、回転パネル２の下圧接部材を解除し、固定軸６，６を降下するならば回転パネル2は図1のように上主軸4及び下主軸5を中心として回動することが出来る。そして適当な角度にて再び下圧接部材を降下して床面に圧接するならば、回転パネル２はその位置で固定され、人の出入りを可能とする出入り口となる。すなわち、回転パネル２を框パネル１と同一面で固定することで間仕切り壁として、一方、框パネル１に対してほぼ垂直状態で固定するならば出入り口と成る。また回転パネル2を適度な角度に回転することで音響室の音響効果を高めることも可能である。
【００１３】
図2は本発明の回転式移動壁Ａ1、Ａ2、Ａ3…を配列して空間を仕切った場合である。そして各回転式移動壁Ａ1、Ａ2、Ａ3…の回転パネル２，２…は同図点線で示しているように框パネル１，１…に対して垂直を成していて、各回転式移動壁Ａ1、Ａ2、Ａ3…の全てが出入り口として開放される。すなわち、全ての回転式移動壁Ａ1、Ａ2、Ａ3…がない状態とほぼ同じ空間が出来上がり、同時に多くの人の出入りを可能とする。
【００１４】
図3は本発明に係る回転式移動壁の内部構造を表わしている具体例である。框パネル1と回転パネル2は上主軸4を介して連結され、そして回転パネル2の上端から突出する2本の固定軸６，６が框パネル1の下端に形成している嵌合穴に嵌っている。したがって回転パネル2は框パネル1に吊設され、回動することなく框パネル1と共に移動することが出来る。
【００１５】
回転パネル2にはジャッキ7を備え、このジャッキ7から上方へ上連結棒を、又下方へ下連結棒９を延ばし、該ジャッキ7を作動することで上連結棒8が降下すると同時に下連結棒９も降下する。その結果、上連結棒8の上端に連結している受け１０並びに受け１０の両サイドから上方へ突出している固定軸６，６は降下することが出来、また下連結棒9の下端に連結している下主軸5が降下する。
【００１６】
下主軸5が降下することで床面に設けている嵌合穴に嵌り、その結果、回転パネル2は上主軸4及び下主軸5を中心として回動することが出来る。框パネル1の上端には上圧接部材(図示なし)が取り付けられているが、回転式移動壁が移動して隣り合う回転式移動壁の側端と突き合わされると同時に、側端から突出している水平シャフト１１の先端が押圧されて後退し、その結果、垂直シャフト１２を上方へ突出させる。
【００１７】
水平シャフト１１と垂直シャフト１２、１２とは三角形の方向変換部材１３，１３を介して連結され、水平シャフト１１が水平移動するならば、方向変換部材１３，１３が固定ピン１４，１４を中心として回転し、その結果、垂直シャフト１２，１２は上下動する。垂直シャフト１２，１２の上端には上圧接部材が取着されている為に、水平シャフト１１の後退動にて上圧接部材は上昇して天井に圧接される。
【００１８】
また、図示してはいないが水平シャフト１１にはコイルバネが取り付けられていて、回転式移動壁を移動することで隣りの回転式移動壁と離れる際には、自動的に水平シャフト１１は突出(前進)して上圧接部材は降下する。一方の回転パネル下端にも下圧接部材(図示なし)を設けているが、この下圧接部材はジャッキ１５，１５を操作して昇降動することが出来る構造に成っている。
【００１９】
ジャッキ１５，１５は下主軸５と固定軸６，６を昇降動することが出来る上記ジャッキ7の左右に設けられ、両ジャッキ１５，１５を適当に操作することで下圧接部材を降下して回転パネル2が動かないように(回動しないように)床面に固定する。この実施例では下主軸5と固定軸6を連動した構造としているが、それぞれを切り離した構造とすることは可能である。
【００２０】
図4は本発明の回転式移動壁の縦断面を示しているが、框パネル1には上圧接部材16が、そして回転パネル下端には別の下圧接部材17が取り付けられ、床面には嵌合穴18を形成して嵌合部材19が設けられている。また図5は回転パネル2の横断面図を示しているが、各回転パネル２，２…は回転出来るように側端に取着しているエッジ２４，２４間には隙間２０が設けられ、両面にはベニア材２１，２１が貼り合わされ、このベニア材２１の表面にはパネル２２またはアルミ板材２３が貼着されている。勿論、回転パネル2及び框パネル1の構造は特に限定しないことにする。
【００２１】
以上述べたように、本発明の回転式移動壁は框パネルと回転パネルを上主軸を介して連結し、回転パネルの下端には床面に設けている嵌合穴に嵌る下主軸を有すと共に、回転パネル上端には框パネルの嵌合穴に嵌る固定軸を備え、そして框パネル上端及び回転パネル下端には圧接部材を備えたものであり、次のような効果を得ることが出来る。
【００２２】
【発明の効果】
本発明の回転式移動壁は框パネルと回転パネルなら成り、所定の位置に固定した状態で回転パネルは主軸を中心として回動することが出来る。そして回転パネル下端に供える圧接部材を床面に圧接することで固定することが出来る為に、同じ移動壁が空間を仕切るだけでなく、出入り口としても機能する。そして、この回転式移動壁を配列して間仕切りを構成する場合には、全ての回転式移動壁の回転パネルを回転して仕切り面に対してほぼ垂直に位置させて固定するならば、多くの人が一時に出入りすることが出来る。さらに、回転パネルを適当な角度に回転して位置させることで、音の反射を巧みに利用した音響室を構成出来る。
【図面の簡単な説明】
【図１】本発明の回転式移動壁を示す実施例。
【図２】回転式移動壁を配列して構成した間仕切り。
【図３】回転式移動壁の内部構造を示す具体例。
【図４】回転式移動壁の縦断面図。
【図５】回転パネルの横断面図。
【符号の説明】
１  框パネル
２  回転パネル
３  吊車
４  上主軸
５  下主軸
６  固定軸
７  ジャッキ
８  上連結棒
９  下連結棒
10  受け
11  水平シャフト
12  垂直シャフト
13  方向変換部材
14  固定ピン
15  ジャッキ
16  上圧接部材
17  下圧接部材
18  嵌合穴
19  嵌合部材
20  隙間
21  ベニア材
22  パネル
23  アルミ板材
24  エッジ
【図１】
0003682616.tif 000002
【図２】
0003682616.tif 000003
【図３】
0003682616.tif 000004
【図４】
0003682616.tif 000005
【図５】
0003682616.tif 000006